(57)【要約】【課題】  足首への装着を迅速容易に行うことができ、運動パフォーマンスを確実に向上させる足首装着ベルトを提供する。【解決手段】  伸縮性を有する帯状のベルト本体１０と、ベルト本体１０の基端側に連結された中継具２０とを備え、中継具２０は、ベルト本体１０が挿通されるスリット状の挿通孔２４が形成されており、ベルト本体１０の幅方向中心線に対して挿通孔２４の幅方向中心線が傾斜する足首装着ベルトである。【選択図】  図１
2019189949.tif 000002
【特許請求の範囲】
【請求項１】
伸縮性を有する帯状のベルト本体と、前記ベルト本体の基端側に連結された中継具とを備え、
前記中継具は、前記ベルト本体が挿通されるスリット状の挿通孔が形成されており、
前記ベルト本体の幅方向中心線に対して前記挿通孔の幅方向中心線が傾斜する足首装着ベルト。
【請求項２】
前記ベルト本体の幅方向中心線と前記挿通孔の幅方向中心線とのなす角度が、３０〜８０度である請求項1に記載の足首装着ベルト。
【請求項３】
前記ベルト本体の基端側および先端側に、互いに着脱可能に係止される基端側係止部および先端側係止部がそれぞれ設けられており、
前記基端側係止部は、前記ベルト本体の表面側に重なった状態で固定されている請求項１または２に記載の足首装着ベルト。
【請求項４】
請求項１から３のいずれかに記載の足首装着ベルトを使用者の足首に装着する方法であって、
前記挿通孔が足の内側に位置するように前記中継具を足首の前側に配置し、前記ベルト本体を足首周りに巻き付けて先端側を前記挿通孔に挿通するステップと、
前記挿通孔に挿通された前記ベルト本体の先端側を、裏面側が露出するように折り返して、土踏まずの下方に内側から外側に向けて通すステップと、
前記ベルト本体の先端側を引き上げて前記ベルト本体の基端側に固定するステップとを備える足首装着ベルトの装着方法。
【発明の詳細な説明】
【技術分野】
【０００１】
本発明は、足首装着ベルトおよびその装着方法に関する。
【背景技術】
【０００２】
スポーツのパフォーマンス向上のために足首に装着されるベルトとして、特許文献１に開示された足首用装着具が知られている。この足首用装着具は、伸縮性の装着具本体の一端側および他端側を足底で交差させた後、それぞれ内踝および外踝に当てた状態で踵において交差させ、足首の前側で接着することにより、足首に装着される。
【０００３】
この足首用装着具によれば、踵がサポートされることにより踵の内反および外反を抑制することができるので、力のロスを軽減してパフォーマンスを向上させることができるとされている。
【先行技術文献】
【特許文献】
【０００４】
【特許文献１】特開２０１４−１９８１５９号公報
【発明の概要】
【発明が解決しようとする課題】
【０００５】
ところが、上記従来の足首用装着具は、踵をサポートして足首を安定させる一方で、アスリート等が運動パフォーマンスを向上させるために姿勢の変化を促すものではない。
【０００６】
そこで、本発明は、足首への装着を迅速容易に行うことができ、運動パフォーマンスを確実に向上させる足首装着ベルトおよびその装着方法の提供を目的とする。
【課題を解決するための手段】
【０００７】
本発明の前記目的は、伸縮性を有する帯状のベルト本体と、前記ベルト本体の基端側に連結された中継具とを備え、前記中継具は、前記ベルト本体が挿通されるスリット状の挿通孔が形成されており、前記ベルト本体の幅方向中心線に対して前記挿通孔の幅方向中心線が傾斜する足首装着ベルトにより達成される。
【０００８】
この足首装着ベルトは、前記ベルト本体の幅方向中心線と前記挿通孔の幅方向中心線とのなす角度が、３０〜８０度であることが好ましい。
【０００９】
また、前記ベルト本体の基端側および先端側に、互いに着脱可能に係止される基端側係止部および先端側係止部がそれぞれ設けられていることが好ましく、前記基端側係止部は、前記ベルト本体の表面側に重なった状態で固定されていることが好ましい。
【００１０】
また、本発明の前記目的は、上述した足首装着ベルトを使用者の足首に装着する方法であって、前記挿通孔が足の内側に位置するように前記中継具を足首の前側に配置し、前記ベルト本体を足首周りに巻き付けて先端側を前記挿通孔に挿通するステップと、前記挿通孔に挿通された前記ベルト本体の先端側を、裏面側が露出するように折り返して、土踏まずの下方に内側から外側に向けて通すステップと、前記ベルト本体の先端側を引き上げて前記ベルト本体の基端側に固定するステップとを備える足首装着ベルトの装着方法により達成される。
【発明の効果】
【００１１】
本発明の足首装着ベルトおよびその装着方法によれば、足首への装着を迅速容易に行うことができ、運動パフォーマンスを確実に向上させることができる。
【図面の簡単な説明】
【００１２】
【図１】本発明の一実施形態に係る足首装着ベルトの平面図である。
【図２】図1に示す足首装着ベルトの底面図である。
【図３】図1に示す足首装着ベルトの要部拡大図である。
【図４】図１に示す足首装着ベルトの装着方法を説明するための工程斜視図である。
【発明を実施するための形態】
【００１３】
以下、本発明の一実施形態について添付図面を参照して説明する。図１は、本発明の一実施形態に係る足首装着ベルトの表面側を示す平面図であり、図２は、その裏面側を示す底面図である。図１および図２に示す足首装着ベルト１は、帯状のベルト本体１０と、ベルト本体１０の基端側に連結された中継具２０とを備えている。この足首装着ベルト１は、左足用として構成されたものであり、図１の上側を上にして装着される。
【００１４】
ベルト本体１０は、糸ゴムを編み込んだ布ベルトやゴムベルト等からなる伸縮性を有する部材であり、基端側および先端側に、それぞれ基端側係止部１２および先端側係止部１４が設けられている。基端側係止部１２および先端側係止部１４は、雌雄一対の面ファスナーからなり、両者を着脱可能に係止することができる。
【００１５】
基端側係止部１２は、ベルト本体１０の表面側に重なるように配置されており、縫着等によって固定されている。一方、先端側係止部１４は、係止面１４ａが表面側となるように配置され、ベルト本体１０の先端部から延在するように縫着等によって接合されている。先端側係止部１４には、先端から略等間隔に複数の切断線１６が設けられており、いずれかの切断線１６で先端側を切除することにより、使用者の足の大きさや形状等に応じて足首装着ベルト１の長さ調整を行うことができる。
【００１６】
図３は、図１に示す足首装着ベルト１の中継具２０付近を拡大して示す平面図である。中継具２０は、薄板状の小片からなり、ベルト本体１０の幅と略同じ長さを有するスリット状の取付孔２２および挿通孔２４が形成されている。取付孔２２には、ベルト本体１０を挿通してループさせることにより、ベルト本体１０の基端部が固定されている。挿通孔２４の下端はベルト本体１０の下縁の延長線に略一致しており、ベルト本体１０の幅方向中心線Ｃ１に対して挿通孔２４の幅方向中心線Ｃ２が傾斜するように形成されている。中継具２０は、使用者の足首に密着するため、合成樹脂や布等の軟質材料から形成されることが好ましく、上縁には円弧状の切欠部２０ａが形成されている。
【００１７】
次に、図４を参照して、上記の構成を備える足首装着ベルト１の装着方法を説明する。まず、図４（ａ）に示すように、ベルト本体１０の表面側が露出する向きで、挿通孔２４が足の内側に位置するように中継具２０を足首Ｕの前側に配置し、ベルト本体１０を足首Ｕの周りに巻き付けて、先端側を挿通孔２４に挿通する。ベルト本体１０を挿通孔２４から引き出すにつれてベルト本体１０のループが小さくなるため、ベルト本体１０が足首Ｕの周りに密着し、中継具２０を足首Ｕに固定することができる。
【００１８】
ついで、図４（ｂ）に示すように、挿通孔２４に挿通されたベルト本体１０の先端側を、ベルト本体１０の裏面側が露出するように挿通孔２４で折り返して、土踏まずＡの下方に内側から外側に向けて通す。この後、図４（ｃ）に示すように、ベルト本体１０の先端側を引き上げて、先端側係止部１４を基端側係止部１２に係止させることにより、ベルト本体１０の先端側を固定する。こうして、足首装着ベルト１の装着を迅速容易に行うことができる。
【００１９】
ベルト本体１０は、足首に装着された中継具２０から、土踏まずＡを内側から外側に向けて引き上げるため、起立状態で母指球に向けた重心移動の意識が高まり、使用者に立ち姿勢の変化を促すことができる。この結果、野球・ゴルフ等の球技やランニング等のスポーツにおいて、運動パフォーマンスを向上させることができる。ベルト本体１０は伸縮性を有するため、運動時においても位置ずれが生じ難く、効果を長時間維持することができる。
【００２０】
図３に示すベルト本体１０の幅方向中心線Ｃ１と挿通孔２４の幅方向中心線Ｃ２とのなす角度θは、中継具２０の挿通孔２４に挿通されたベルト本体１０の先端側を折り返して、土踏まずに向けてスムーズに案内することができるように、３０〜８０度であることが好ましく、４５〜６５度がより好ましく、５０〜６０度が更に好ましい。この角度θは、本実施形態のように左足用の足首装着ベルト１を表面側から見た場合に、ベルト本体１０の幅方向中心線Ｃ１から挿通孔２４の幅方向中心線Ｃ２までの時計回りの角度として定義される。
【００２１】
以上、本発明の一実施形態について詳述したが、本発明の具体的な態様は上記実施形態に限定されない。例えば、本実施形態においては、基端側係止部１２をベルト本体１０の表面側に重なった状態で固定することで、ベルト本体１０の伸縮を部分的に抑制して適度なフィット感が得られるように構成しているが、基端側係止部１２をベルト本体１０の基端部から延在するように接合して、中継具２０とベルト本体１０との間に介在させることもできる。先端側係止部１４についても、ベルト本体１０の先端部に接合する代わりに、ベルト本体１０の先端側と重なるように構成することもできる。
【００２２】
また、基端側係止部１２および先端側係止部１４は、本実施形態では面ファスナーを使用しているが、スナップボタンやスプリングホック等の他の着脱手段であってもよい。また、図４（ｃ）に示すベルト本体１０の固定は、例えば、足首に巻き付けたベルト本体１０と足首Ｕとの間にベルト本体１０の先端部を挿入して行うこともできるため、基端側係止部１２および先端側係止部１４を備えない構成にすることもできる。
【００２３】
本実施形態の足首装着ベルト１は左足用として使用されるが、右足用の足首装着ベルト１については、例えば、図１に示す足首装着ベルト１を、中継具２０に対してベルト本体１０を表裏反転して取り付けることにより構成することができる。
【００２４】
本実施形態の足首装着ベルトの使用者（１０代から６０代までの男女３５名）に対してアンケート調査を行った。野球、ゴルフ、ウォーキング等のスポーツで使用した感想としては、「すごくよかった」が３１名、「よかった」が２名、「わからない」が２名であった。足首装着ベルトを使用後の変化については、「大変感じる」が２９名、「少し感じる」が５名、「感じない」が１名であった。今後も使用したいと思うかに対しては、「使用したい」が３４名、「使うかも」が１名、「使わない」が０名であった。具体的な感想としては、踏ん張りがきく、安定感がある、歩きやすい、ジャンプ力が上がる等が、複数名から得られた。
【符号の説明】
【００２５】
１  足首装着ベルト
１０  ベルト本体
１２  基端側係止部
１４  先端側係止部
２０  中継具
２４  挿通孔
Ｃ１，Ｃ２  中心線
【図１】
2019189949.tif 000003
【図２】
2019189949.tif 000004
【図３】
2019189949.tif 000005
【図４】
2019189949.tif 000006